【手続補正書】
【提出日】平成20年1月23日(2008.1.23)
【手続補正１】
【補正対象書類名】明細書
【補正対象項目名】特許請求の範囲
【補正方法】変更
【補正の内容】
【特許請求の範囲】
【請求項１】  リアルタイムマルチメディアコンテンツを伝送し同期化するシステムにおいて、
マルチメディアオーディオ／ビジュアル情報を再生順に有するマルチメディアパケットを生成し、該マルチメディアパケットを伝送するマルチメディアサーバと、
複数の目的地に前記マルチメディアパケットを配信する複数のルータを有し、前記マルチメディアパケットを受信するために前記マルチメディアサーバに接続しているパケットベースの通信ネットワークと、
エンドツーエンドの全遅延（ＴＥＤ）と累積ネットワーク遅延（ＣＮＤ）を含む総遅延情報（ＴＤＩ）を前記マルチメディアパケットに挿入する挿入手段と、
ＴＤＩを有する前記マルチメディアパケットを受信する複数のマルチメディアレシーバとを有し、
各マルチメディアレシーバは、受信したマルチメディアパケットを蓄積するバッファと、該バッファから蓄積したマルチメディアパケットを検索し該マルチメディアパケットを前記再生順に配列するためのシーケンス手段と、該シーケンス手段により検索し配列したマルチメディアパケットを前記マルチメディアサーバで伝送後ＴＥＤの時間に再生するための再生機構とを含んでいることを特徴とするリアルタイムマルチメディアコンテンツを伝送し同期化するシステム。
【請求項２】  前記パケットベースの通信ネットワークと少なくとも幾つかの前記マルチメディアレシーバとの間に設けられ、ゲートウェイを含むローカルエリアネットワーク（ＬＡＮ）をさらに含んでいることを特徴とする請求項１に記載のリアルタイムマルチメディアコンテンツを伝送し同期化するシステム。
【請求項３】  マルチメディアオーディオ／ビジュアル情報を再生順に有し、エンドツーエンドの全遅延（ＴＥＤ）と累積ネットワーク遅延（ＣＮＤ）を含む総遅延情報（ＴＤＩ）が挿入されたマルチメディアパケットを、パケットベースの通信ネットワークを通じて受信するマルチメディアレシーバにおいて、
受信したマルチメディアパケットを蓄積するバッファと、該バッファから蓄積したマルチメディアパケットを検索し該マルチメディアパケットを前記再生順に配列するためのシーケンス手段と、該シーケンス手段により検索し配列したマルチメディアパケットを送信元から送出後ＴＥＤの時間に再生するための再生機構とを含んでいることを特徴とするマルチメディアレシーバ。
【請求項４】  マルチメディアサーバ、ルータ、ゲートウェイのいずれかから、前記受信したマルチメディアパケット内のＴＤＩより大きいＴＤＩを要求する手段を含むことを特徴とする請求項３に記載のマルチメディアレシーバ。
【請求項５】  マルチメディアオーディオ／ビジュアル情報を再生順に有するマルチメディアパケットを生成し、該マルチメディアパケットをパケットベースの通信ネットワークを通じて複数の目的地に伝送するマルチメディアサーバにおいて、
エンドツーエンドの全遅延（ＴＥＤ）と累積ネットワーク遅延（ＣＮＤ）を含む総遅延情報（ＴＤＩ）を前記マルチメディアパケットに挿入する挿入手段を含むことを特徴とするマルチメディアサーバ。
【請求項６】  マルチメディアパケットが生存可能なパケットであるか、または、マルチメディアパケットが生存不可能なパケットであるかを決定する手段をさらに含み、該生存不可能なパケットを破棄することを特徴とする請求項５に記載のマルチメディアサーバ。
【請求項７】  マルチメディアオーディオ／ビジュアル情報を再生順に有するマルチメディアパケットを、パケットベースの通信ネットワークを通じて複数の目的地に伝送するルータにおいて、
エンドツーエンドの全遅延（ＴＥＤ）と累積ネットワーク遅延（ＣＮＤ）を含む総遅延情報（ＴＤＩ）を前記マルチメディアパケットに挿入する挿入手段を含むことを特徴とするルータ。
【請求項８】  マルチメディアパケットを複写する複写手段をさらに含み、ＴＤＩを該複写手段により複写した各マルチメディアパケットに挿入することを特徴とする請求項７に記載のルータ。
【請求項９】  マルチメディアパケットが生存可能なパケットであるか、または、マルチメディアパケットが生存不可能なパケットであるかを決定する手段をさらに含み、該生存不可能なパケットを破棄することを特徴とする請求項７又は８に記載のルータ。
【請求項１０】  マルチメディアオーディオ／ビジュアル情報を再生順に有するマルチメディアパケットを、自身が属するパケットベースのローカルエリアネットワーク（ＬＡＮ）内の複数のマルチメディアレシーバに伝送するゲートウェイにおいて、
エンドツーエンドの全遅延（ＴＥＤ）と累積ネットワーク遅延（ＣＮＤ）を含む総遅延情報（ＴＤＩ）を前記マルチメディアパケットに挿入する挿入手段を含むことを特徴とするゲートウェイ。
【請求項１１】  マルチメディアパケットが生存可能なパケットであるか、または、マルチメディアパケットが生存不可能なパケットであるかを決定する手段をさらに含み、該生存不可能なパケットを破棄することを特徴とする請求項１０に記載のゲートウェイ。
【請求項１２】  リアルタイムマルチメディアコンテンツを伝送し同期化する方法において、
マルチメディアオーディオ／ビジュアル情報を複数のマルチメディアパケットにローディングするステップと、
エンドツーエンドの全遅延（ＴＥＤ）と累積ネットワーク遅延（ＣＮＤ）を含む総遅延情報（ＴＤＩ）を少なくとも１つの前記マルチメディアパケットに挿入する挿入ステップと、
複数のマルチメディアレシーバに前記マルチメディアパケットを再生順にパケットベースの通信ネットワークで伝送するステップと、
各マルチメディアレシーバに前記マルチメディアパケットを一時保管するステップと、
前記マルチメディアパケットを再生順に呼び出すステップと、
前記マルチメディアパケットをＴＥＤの時点で各レシーバで再生するステップとを含んでなるリアルタイムマルチメディアコンテンツを伝送し同期化する方法。
【請求項１３】  前記挿入ステップは、１つのマルチメディアサーバにおけるＴＤＩの挿入を含むことを特徴とする請求項１２に記載のリアルタイムマルチメディアコンテンツを伝送し同期化する方法。
【請求項１４】  前記挿入ステップは、前記パケットベースのネットワークに設けられた１つのルータにおけるＴＤＩの挿入を含むことを特徴とする請求項１２に記載のリアルタイムマルチメディアコンテンツを伝送し同期化する方法。
【請求項１５】  前記挿入ステップは、前記パケットベースのネットワークと１つのマルチメディアレシーバとの間に設けられたローカルエリアネットワーク（ＬＡＮ）に設けられているゲートウェイにおけるＴＤＩの挿入を含むことを特徴とする請求項１２に記載のリアルタイムマルチメディアコンテンツを伝送し同期化する方法。
【請求項１６】  複数のマルチメディアレシーバにマルチキャストするためにマルチメディアパケットを複写するステップを含み、該ステップは、ＴＤＩを幾つかの前記複写されたマルチメディアパケットに挿入することを含むことを特徴とする請求項１２に記載のリアルタイムマルチメディアコンテンツを伝送し同期化する方法。
【請求項１７】  伝送期間においてＣＮＤ＞ＴＥＤであれば何時でもそのマルチメディアパケットを破棄するステップを含むことを特徴とする請求項１２に記載のリアルタイムマルチメディアコンテンツを伝送し同期化する方法。
【請求項１８】  ＣＮＤ＞ＴＥＤであればＴＥＤの値を増大させるステップを含むことを特徴とする請求項１７に記載のリアルタイムマルチメディアコンテンツを伝送し同期化する方法。
【請求項１９】  マルチメディアパケットが生存可能なパケットであるか、又は、生存不可能なパケットであるかを決定するステップと、生存不可能なパケットを破棄するステップとをさらに含むことを特徴とする請求項１２に記載のリアルタイムマルチメディアコンテンツを伝送し同期化する方法。
【請求項２０】  マルチメディアパケットが生存可能なパケットか、又は、生存不可能なパケットかを決定するステップと、生存不可能なパケットを破棄するステップとを含んでなるリアルタイムマルチメディアコンテンツを伝送し同期化する方法。
【請求項２１】  マルチメディアのオーディオ／ビジュアル情報を複数のマルチメディアのパケットにローディングするステップと、
エンドツーエンドの全遅延（ＴＥＤ）と累積ネットワーク遅延（ＣＮＤ）を含む総遅延情報（ＴＤＩ）をマルチメディアパケットの少なくとも１つに挿入する挿入ステップと、
複数のマルチメディアレシーバにパケットベースのネットワークを介し前記マルチメディアパケットを再生順に伝送するステップと、
伝送期間においてＣＮＤ＞ＴＥＤであれば何時でも前記マルチメディアパケットを破棄するステップと、
各マルチメディアレシーバにおいて前記マルチメディアパケットを一時保管するステップと、
前記マルチメディアパケットを再生順に呼び出すステップと、
前記マルチメディアパケットを各レシーバにおいてＴＥＤの時点で再生するステップとをさらに含んでいる請求項２０に記載のリアルタイムマルチメディアコンテンツを伝送し同期化する方法。
【請求項２２】  前記挿入ステップは、１つのマルチメディアサーバにおけるＴＤＩの挿入を含むことを特徴とする請求項２１に記載のリアルタイムマルチメディアコンテンツを伝送し同期化する方法。
【請求項２３】  前記挿入ステップは、前記パケットベースのネットワークに設けられた１つのルータにおけるＴＤＩの挿入を含むことを特徴とする請求項２１に記載のリアルタイムマルチメディアコンテンツを伝送し同期化する方法。
【請求項２４】  前記挿入ステップは、前記パケットベースのネットワークと１つのマルチメディアレシーバとの間に設けられたローカルエリアネットワーク（ＬＡＮ）に設けられているゲートウェイにおけるＴＤＩの挿入を含むことを特徴とする請求項２１に記載のリアルタイムマルチメディアコンテンツを伝送し同期化する方法。
【請求項２５】  複数のマルチメディアレシーバにマルチキャストするためにマルチメディアパケットを複写するステップを含み、該ステップは、ＴＤＩを幾つかの前記複写されたマルチメディアパケットに挿入することを含むことを特徴とする請求項２１に記載のリアルタイムマルチメディアコンテンツを伝送し同期化する方法。
【請求項２６】  ＣＮＤ＞ＴＥＤであればＴＥＤの値を増大させるステップを含むことを特徴とする請求項２１に記載のリアルタイムマルチメディアコンテンツを伝送し同期化する方法。
【手続補正２】
【補正対象書類名】明細書
【補正対象項目名】００３１
【補正方法】変更
【補正の内容】
【００３１】
第２の技術手段は、第１の技術手段において、前記パケットベースの通信ネットワークと少なくとも幾つかの前記マルチメディアレシーバとの間に設けられ、ゲートウェイを含むローカルエリアネットワーク（ＬＡＮ）をさらに含んでいることを特徴としたものである。
【手続補正３】
【補正対象書類名】明細書
【補正対象項目名】００３２
【補正方法】変更
【補正の内容】
【００３２】
第３の技術手段は、マルチメディアオーディオ／ビジュアル情報を再生順に有し、エンドツーエンドの全遅延（ＴＥＤ）と累積ネットワーク遅延（ＣＮＤ）を含む総遅延情報（ＴＤＩ）が挿入されたマルチメディアパケットを、パケットベースの通信ネットワークを通じて受信するマルチメディアレシーバにおいて、受信したマルチメディアパケットを蓄積するバッファと、該バッファから蓄積したマルチメディアパケットを検索し該マルチメディアパケットを前記再生順に配列するためのシーケンス手段と、該シーケンス手段により検索し配列したマルチメディアパケットを送信元から送出後ＴＥＤの時間に再生するための再生機構とを含んでいることを特徴としたものである。
第４の技術手段は、第３の技術手段において、マルチメディアサーバ、ルータ、ゲートウェイのいずれかから、前記受信したマルチメディアパケット内のＴＤＩより大きいＴＤＩを要求する手段を含むことを特徴としたものである。
【手続補正４】
【補正対象書類名】明細書
【補正対象項目名】００３３
【補正方法】変更
【補正の内容】
【００３３】
第５の技術手段は、マルチメディアオーディオ／ビジュアル情報を再生順に有するマルチメディアパケットを生成し、該マルチメディアパケットをパケットベースの通信ネットワークを通じて複数の目的地に伝送するマルチメディアサーバにおいて、エンドツーエンドの全遅延（ＴＥＤ）と累積ネットワーク遅延（ＣＮＤ）を含む総遅延情報（ＴＤＩ）を前記マルチメディアパケットに挿入する挿入手段を含むことを特徴としたものである。
第６の技術手段は、第５の技術手段において、マルチメディアパケットが生存可能なパケットであるか、または、マルチメディアパケットが生存不可能なパケットであるかを決定する手段をさらに含み、該生存不可能なパケットを破棄することを特徴としたものである。
【手続補正５】
【補正対象書類名】明細書
【補正対象項目名】００３４
【補正方法】変更
【補正の内容】
【００３４】
第７の技術手段は、マルチメディアオーディオ／ビジュアル情報を再生順に有するマルチメディアパケットを、パケットベースの通信ネットワークを通じて複数の目的地に伝送するルータにおいて、エンドツーエンドの全遅延（ＴＥＤ）と累積ネットワーク遅延（ＣＮＤ）を含む総遅延情報（ＴＤＩ）を前記マルチメディアパケットに挿入する挿入手段を含むことを特徴としたものである。
第８の技術手段は、第７の技術手段において、マルチメディアパケットを複写する複写手段をさらに含み、ＴＤＩを該複写手段により複写した各マルチメディアパケットに挿入することを特徴としたものである。
第９の技術手段は、第７又は第８の技術手段において、マルチメディアパケットが生存可能なパケットであるか、または、マルチメディアパケットが生存不可能なパケットであるかを決定する手段をさらに含み、該生存不可能なパケットを破棄することを特徴としたものである。
【手続補正６】
【補正対象書類名】明細書
【補正対象項目名】００３５
【補正方法】変更
【補正の内容】
【００３５】
第１０の技術手段は、マルチメディアオーディオ／ビジュアル情報を再生順に有するマルチメディアパケットを、自身が属するパケットベースのローカルエリアネットワーク（ＬＡＮ）内の複数のマルチメディアレシーバに伝送するゲートウェイにおいて、エンドツーエンドの全遅延（ＴＥＤ）と累積ネットワーク遅延（ＣＮＤ）を含む総遅延情報（ＴＤＩ）を前記マルチメディアパケットに挿入する挿入手段を含むことを特徴としたものである。
第１１の技術手段は、第１０の技術手段において、マルチメディアパケットが生存可能なパケットであるか、または、マルチメディアパケットが生存不可能なパケットであるかを決定する手段をさらに含み、該生存不可能なパケットを破棄することを特徴としたものである。
【手続補正７】
【補正対象書類名】明細書
【補正対象項目名】００３６
【補正方法】削除
【補正の内容】
【手続補正８】
【補正対象書類名】明細書
【補正対象項目名】００３７
【補正方法】削除
【補正の内容】
【手続補正９】
【補正対象書類名】明細書
【補正対象項目名】００３８
【補正方法】変更
【補正の内容】
【００３８】
第１２の技術手段は、リアルタイムマルチメディアコンテンツを伝送し同期化する方法において、マルチメディアオーディオ／ビジュアル情報を複数のマルチメディアパケットにローディングするステップと、エンドツーエンドの全遅延（ＴＥＤ）と累積ネットワーク遅延（ＣＮＤ）を含む総遅延情報（ＴＤＩ）を少なくとも１つの前記マルチメディアパケットに挿入する挿入ステップと、複数のマルチメディアレシーバに前記マルチメディアパケットを再生順にパケットベースの通信ネットワークで伝送するステップと、各マルチメディアレシーバに前記マルチメディアパケットを一時保管するステップと、前記マルチメディアパケットを再生順に呼び出すステップと、前記マルチメディアパケットをＴＥＤの時点で各レシーバで再生するステップとを含んでなるリアルタイムマルチメディアコンテンツを伝送し同期化する方法である。
【手続補正１０】
【補正対象書類名】明細書
【補正対象項目名】００３９
【補正方法】変更
【補正の内容】
【００３９】
第１３の技術手段は、第１２の技術手段において、前記挿入ステップは、１つのマルチメディアサーバにおけるＴＤＩの挿入を含むことを特徴としたものである。
【手続補正１１】
【補正対象書類名】明細書
【補正対象項目名】００４０
【補正方法】変更
【補正の内容】
【００４０】
第１４の技術手段は、第１２の技術手段において、前記挿入ステップは、前記パケットベースのネットワークに設けられた１つのルータにおけるＴＤＩの挿入を含むことを特徴としたものである。
【手続補正１２】
【補正対象書類名】明細書
【補正対象項目名】００４１
【補正方法】変更
【補正の内容】
【００４１】
第１５の技術手段は、第１２の技術手段において、前記挿入ステップは、前記パケットベースのネットワークと１つのマルチメディアレシーバとの間に設けられたローカルエリアネットワーク（ＬＡＮ）に設けられているゲートウェイにおけるＴＤＩの挿入を含むことを特徴としたものである。
【手続補正１３】
【補正対象書類名】明細書
【補正対象項目名】００４２
【補正方法】変更
【補正の内容】
【００４２】
第１６の技術手段は、第１２の技術手段において、複数のマルチメディアレシーバにマルチキャストするためにマルチメディアパケットを複写するステップを含み、該ステップは、ＴＤＩを幾つかの前記複写されたマルチメディアパケットに挿入することを含むことを特徴としたものである。
【手続補正１４】
【補正対象書類名】明細書
【補正対象項目名】００４３
【補正方法】変更
【補正の内容】
【００４３】
第１７の技術手段は、第１２の技術手段において、伝送期間においてＣＮＤ＞ＴＥＤであれば何時でもそのマルチメディアパケットを破棄するステップを含むことを特徴としたものである。
【手続補正１５】
【補正対象書類名】明細書
【補正対象項目名】００４４
【補正方法】変更
【補正の内容】
【００４４】
第１８の技術手段は、第１７の技術手段において、ＣＮＤ＞ＴＥＤであればＴＥＤの値を増大させるステップを含むことを特徴としたものである。
【手続補正１６】
【補正対象書類名】明細書
【補正対象項目名】００４５
【補正方法】変更
【補正の内容】
【００４５】
第１９の技術手段は、第１２の技術手段において、マルチメディアパケットが生存可能なパケットであるか、又は、生存不可能なパケットであるかを決定するステップと、生存不可能なパケットを破棄するステップとをさらに含むことを特徴としたものである。
【手続補正１７】
【補正対象書類名】明細書
【補正対象項目名】００４６
【補正方法】変更
【補正の内容】
【００４６】
第２０の技術手段は、マルチメディアパケットが生存可能なパケットか、又は、生存不可能なパケットかを決定するステップと、生存不可能なパケットを破棄するステップとを含んでなるリアルタイムマルチメディアコンテンツを伝送し同期化する方法である。
【手続補正１８】
【補正対象書類名】明細書
【補正対象項目名】００４７
【補正方法】変更
【補正の内容】
【００４７】
第２１の技術手段は、第２０の技術手段において、マルチメディアのオーディオ／ビジュアル情報を複数のマルチメディアのパケットにローディングするステップと、エンドツーエンドの全遅延（ＴＥＤ）と累積ネットワーク遅延（ＣＮＤ）を含む総遅延情報（ＴＤＩ）をマルチメディアパケットの少なくとも１つに挿入する挿入ステップと、複数のマルチメディアレシーバにパケットベースのネットワークを介し前記マルチメディアパケットを再生順に伝送するステップと、伝送期間においてＣＮＤ＞ＴＥＤであれば何時でも前記マルチメディアパケットを破棄するステップと、各マルチメディアレシーバにおいて前記マルチメディアパケットを一時保管するステップと、前記マルチメディアパケットを再生順に呼び出すステップと、前記マルチメディアパケットを各レシーバにおいてＴＥＤの時点で再生するステップとをさらに含んでいることを特徴としたものである。
【手続補正１９】
【補正対象書類名】明細書
【補正対象項目名】００４８
【補正方法】変更
【補正の内容】
【００４８】
第２２の技術手段は、第２１の技術手段において、前記挿入ステップは、１つのマルチメディアサーバにおけるＴＤＩの挿入を含むことを特徴としたものである。
【手続補正２０】
【補正対象書類名】明細書
【補正対象項目名】００４９
【補正方法】変更
【補正の内容】
【００４９】
第２３の技術手段は、第２１の技術手段において、前記挿入ステップは、前記パケットベースのネットワークに設けられた１つのルータにおけるＴＤＩの挿入を含むことを特徴としたものである。
【手続補正２１】
【補正対象書類名】明細書
【補正対象項目名】００５０
【補正方法】変更
【補正の内容】
【００５０】
第２４の技術手段は、第２１の技術手段において、前記挿入ステップは、前記パケットベースのネットワークと１つのマルチメディアレシーバとの間に設けられたローカルエリアネットワーク（ＬＡＮ）に設けられているゲートウェイにおけるＴＤＩの挿入を含むことを特徴としたものである。
【手続補正２２】
【補正対象書類名】明細書
【補正対象項目名】００５１
【補正方法】変更
【補正の内容】
【００５１】
第２５の技術手段は、第２１の技術手段において、複数のマルチメディアレシーバにマルチキャストするためにマルチメディアパケットを複写するステップを含み、該ステップは、ＴＤＩを幾つかの前記複写されたマルチメディアパケットに挿入することを含むことを特徴としたものである。
【手続補正２３】
【補正対象書類名】明細書
【補正対象項目名】００５２
【補正方法】変更
【補正の内容】
【００５２】
第２６の技術手段は、第２１の技術手段において、ＣＮＤ＞ＴＥＤであればＴＥＤの値を増大させるステップを含むことを特徴としたものである。